(57)【要約】【課題】カウントダウン方式の垂直同期回路において、入力される複合同期信号が受信チャンネルの変更等によって切り替わっても映像の表示ずれを起こさない垂直同期信号を生成する。【解決手段】垂直同期回路４６に入力される複合同期信号ＳＹＮＩから垂直同期分離信号ＤＶＯＰが分離され、一方、複合同期信号ＳＹＮＩから得られた水平同期信号ＨＳＹの周波数のＮ倍（Ｎ≧２）の周波数の基準クロック信号ＣＫが生成される。この基準クロック信号ＣＫを垂直同期分離信号ＤＶＯＰに同期させて分周することにより、安定化垂直同期信号ＣＶＯＰが生成される。そしてチャンネル切替信号ＴＶＳＷに基づき、受信チャンネルが変更されない間は安定化垂直同期信号ＣＶＯＰが、受信チャンネルが変更されるときには受信チャンネルの切り替わり直後の所定期間だけ垂直同期分離信号ＤＶＯＰが、表示用の垂直同期信号ＶＳＹとして出力される。【選択図】図２
2006060483.tif 000002
【特許請求の範囲】
【請求項１】
映像を表示するための垂直同期信号である表示用垂直同期信号を、当該映像に対応する同期信号として入力される複合同期信号に基づき生成するカウントダウン方式の垂直同期回路であって、
前記複合同期信号に含まれる水平同期信号の周波数の整数倍の周波数の基準クロック信号を生成するクロック信号生成回路と、
前記複合同期信号に含まれる垂直同期成分を分離し垂直同期分離信号として出力する垂直同期分離回路と、
前記複合同期信号の切り替わりを示す信号として入力される切替信号に基づき、前記複合同期信号の切り替わり直後の所定期間には、前記垂直同期分離信号を前記表示用垂直同期信号として出力し、当該所定期間以外の期間には、前記垂直同期分離信号と同期させて前記基準クロック信号を分周することにより前記垂直同期分離信号の周波数に等しい周波数の分周信号を生成し前記表示用垂直同期信号として出力する垂直同期安定化回路と
を備えることを特徴とする、垂直同期回路。
【請求項２】
前記垂直同期安定化回路は、
前記垂直同期分離信号と同期させて前記基準クロック信号を分周することにより前記垂直同期分離信号の周波数に等しい周波数の分周信号を生成する分周手段と、
前記切替信号に基づき、前記所定期間には前記垂直同期分離信号を前記表示用垂直同期信号として出力し、前記所定期間以外の期間には前記分周信号を前記表示用垂直同期信号として出力する選択手段と
を含むことを特徴とする、請求項１に記載の垂直同期回路。
【請求項３】
前記複合同期信号は、所定のテレビジョン受信機における受信チャンネルのテレビジョン信号から取り出された信号であり、
前記切替信号は、前記受信チャンネルの切り替えを示す信号であり
前記所定期間は、前記受信チャンネルの切り換わり直後の期間であることを特徴とする、請求項１に記載の垂直同期回路。
【請求項４】
所定操作によって指定される受信チャンネルのテレビジョン信号を受信する選局部と、
前記テレビジョン信号から複合映像信号を取り出す映像受信回路と、
前記複合映像信号から複合同期信号を取り出す同期分離回路と、
前記複合映像信号の表す映像を表示する表示装置と、
前記受信チャンネルの映像を前記表示装置に表示させるための垂直同期信号である表示用垂直同期信号を前記複合同期信号に基づき生成するカウントダウン方式の垂直同期回路とを備え、
前記選局部は、前記所定操作に応じて前記受信チャンネルの切り替えを示す切替信号を生成し、
前記垂直同期回路は、
前記複合同期信号に含まれる水平同期信号の周波数の整数倍の周波数の基準クロック信号を生成するクロック信号生成回路と、
前記複合同期信号に含まれる垂直同期成分を分離し垂直同期分離信号として出力する垂直同期分離回路と、
前記切替信号に基づき、前記受信チャンネルの切り替わり直後の所定期間には、前記垂直同期分離信号を前記表示用垂直同期信号として出力し、当該所定期間以外の期間には、前記垂直同期分離信号と同期させて前記基準クロック信号を分周することにより前記垂直同期分離信号の周波数に等しい周波数の分周信号を生成し前記表示用垂直同期信号として出力する垂直同期安定化回路と
を含むことを特徴とするテレビジョン受信機。
【発明の詳細な説明】
【技術分野】
【０００１】
本発明は、テレビジョン信号等の表す映像を表示するための垂直同期信号を生成する垂直同期回路に関し、更に詳しくは、いわゆるカウントダウン方式により安定化された垂直同期信号を生成する垂直同期回路およびそれを備えたテレビジョン受信機に関する。
【背景技術】
【０００２】
受信波の電界強度が変化する環境下で使用されるテレビジョン受信機等では、垂直走査の安定化を図るために、例えば特公昭５９−１５５９５号公報（特許文献１）や特公昭６０−４２６６４号公報（特許文献２）に開示されているように、従来よりカウントダウン方式の垂直同期回路が使用されている。さらに近年では、特開平１０−１１７２９６号公報（特許文献４）に開示されているように、受信波の電界強度が弱いために部分的に欠落した非標準的な垂直同期分離信号に対しても、映像表示のための垂直同期を安定化させることのできる垂直同期安定化装置が提供されている。また、特開平７−９５４４４号公報（特許文献３）に開示されているように、入力される垂直同期信号の周期がテレビジョン放送における垂直同期信号の周期と等しくない非標準周期信号、例えばＶＴＲ（ビデオテープレコーダ）でスチルや、スロー、サーチ等の特殊再生時において出力される垂直同期信号に対しても、その垂直同期信号と同期した同一周期の同期信号を安定かつ正確に出力できる垂直同期回路が提供されている。
【特許文献１】特公昭５９−１５５９５号公報
【特許文献２】特公昭６０−４２６６４号公報
【特許文献３】特開平７−９５４４４号公報
【特許文献４】特開平１０−１１７２９６号公報
【発明の開示】
【発明が解決しようとする課題】
【０００３】
このような安定化された垂直同期信号を提供するための対策が施された垂直同期回路や垂直同期安定化装置によれば、受信波の電界強度が弱い環境下であっても安定した垂直同期信号が得られるが、入力信号としての複合同期信号の垂直同期成分や垂直同期分離信号が欠落した場合にも正常なタイミングで垂直同期信号が得られるように欠落部を補間する必要がある。このため、このような垂直同期回路等は、垂直期間の数周期分の間、垂直同期分離信号が入力されているか否かを判別する回路を備えている。
【０００４】
このため、従来、垂直同期回路に入力される複合同期信号がテレビジョン受信機の受信チャンネルの変更等によって切り替わり、同期信号のタイミングが変化するような場合、複合同期信号の切り替わり直後、しばらくの間は、切り替わり前の複合同期信号のタイミングで各垂直走査の開始時点が決定される。したがって、例えばテレビジョン受信機の受信チャンネルが切り替えられると、垂直同期回路に入力される複合同期信号も切り替わり、受信チャンネルを切り替えてから垂直期間の数周期分の期間は、受信チャンネルの映像表示のための垂直走査の開始位置がずれるという現象が生じる。以下、この点につき、図４〜図７の信号波形図を参照して説明する。
【０００５】
従来は、テレビジョン受信機で受信されたテレビジョン信号等から得られる図４（ａ）に示すような複合同期信号ＳＹＮＩから垂直同期成分を分離することにより、当該垂直同期成分を示す信号として図４（ｂ）に示すような垂直同期分離信号ＤＶＯＰが得られ、この垂直同期分離信号ＤＶＯＰによって、テレビジョン信号等のビデオ信号の表す映像の表示における垂直走査の開始位置が決定される。
【０００６】
テレビジョン受信機の受信波の電界強度が強い場合（強電界環境下）においては、受信チャンネルのテレビジョン信号に含まれる複合同期信号ＳＹＮＩに欠落が生じることはなく、図５に示すように安定した垂直同期分離信号ＤＶＯＰが得られるので、この垂直同期分離信号ＤＶＯＰに基づいて受信チャンネルの映像を表示しても問題はなかった。しかし、受信波の電界強度が弱い場合（弱電界環境下）においては、受信チャンネルのテレビジョン信号に含まれる複合同期信号ＳＹＮＩに頻繁に欠落が生じ得る。そこで、水平同期信号の周波数の整数倍の周波数の信号である基準クロック信号を垂直同期分離信号ＤＶＯＰに同期させて分周することにより、位相ずれや欠落が補正された安定化した垂直同期信号（以下「安定化垂直同期信号」という）を生成するという、カウントダウン方式の垂直同期回路が従来より使用されている（なお、本明細書では特に断らない限り「周波数」とはパルス繰り返し周波数を意味するものとする）。このようなカウントダウン方式の垂直同期回路によれば、複合同期信号ＳＹＮＩに欠落が生じて図６（ａ）に示すような垂直同期分離信号ＤＶＯＰが得られる場合であっても、図６（ｂ）に示すような安定化垂直同期信号ＣＶＯＰが生成される。この安定化垂直同期信号ＣＶＯＰは、複合同期信号ＳＹＮＩに欠落が生じても、垂直同期のために必要なパルスが然るべきタイミングで現れる信号となっている。これにより、弱電界環境下においても、受信チャンネルの映像表示において垂直方向の表示乱れが出ないようにすることができる。
【０００７】
このように弱電界環境下においても安定的に垂直同期信号を提供するために、上記基準クロック信号を垂直同期分離信号ＤＶＯＰに同期させて分周することにより安定化垂直同期信号を生成する分周手段として、カウンタダウン回路が垂直同期回路に含まれている。ところで弱電界環境下では、図６（ａ）における点線の円で囲まれた部分に示されているように、垂直同期分離信号ＤＶＯＰにスパイクがノイズとして含まれる場合がある。この場合、そのスパイクが垂直同期のためのパルスとして認識されると、受信チャンネルの映像表示において垂直方向の表示乱れが生じる。これを回避するために従来のカウントダウン回路では、通常、垂直期間の数周期分の間、垂直同期分離信号ＤＶＯＰが正規のタイミングで入力されているか否かが垂直同期分離信号ＤＶＯＰと安定化垂直同期信号ＣＶＯＰとの位相比較等によって判定され、垂直同期分離信号ＤＶＯＰが正規のタイミングで入力されない状態が所定期間継続したときにのみカウントダウン回路内の分周器がリセットされる。その後、新たに垂直同期分離信号ＤＶＯＰに同期させて基準クロック信号が当該分周器で分周されることにより、生成される安定化垂直同期信号ＣＶＯＰが更新される（例えば特許文献２参照）。したがって、このようなカウントダウン回路によれば、上記所定期間では、垂直同期分離信号ＤＶＯＰに欠落があってもそれ以前に入力された垂直同期分離信号ＤＶＯＰと同等のタイミングでパルスの現れる安定化垂直同期信号ＣＶＯＰが生成される。
【０００８】
上記のようなカウントダウン回路を備えた垂直同期回路によれば、受信チャンネルの切り替えが無い場合すなわち複合同期信号ＳＹＮＩが切り替わらない場合には、その複合同期信号ＳＹＮＩに含まれる垂直同期成分に相当する垂直同期分離信号ＤＶＯＰと同位相でかつ安定化した垂直同期信号ＣＶＯＰが生成される。このため、その安定化垂直同期信号ＣＶＯＰに基づき受信チャンネルの映像を良好に表示することができる。
【０００９】
しかし、テレビジョン受信機の受信チャンネルを切り替えた場合には、その切り替わり直後の所定期間は、切り替え前の受信チャンネルのテレビジョン信号に含まれる複合同期信号から得られる垂直同期分離信号ＤＶＯＰと同等のタイミングでパルスの現れる安定化垂直同期信号ＣＶＯＰ、すなわち切り替え前の垂直同期分離信号ＤＶＯＰと同位相の安定化垂直同期信号ＣＶＯＰが生成される。例えば、時刻ｔ１で受信チャンネルが切り替わり、図７（ａ）に示すような垂直同期分離信号ＤＶＯＰが得られる場合を考えると、安定化垂直同期信号ＣＶＯＰは、時刻ｔ１から所定期間（ここでは垂直期間の５周期分の期間（５Ｖ））は時刻ｔ１以前の垂直同期分離信号ＤＶＯＰと同等のタイミングでパルスの現れる安定化垂直同期信号ＣＶＯＰが生成される。そして、時刻ｔ１から上記所定期間（５Ｖ期間）だけ経過した時点である時刻ｔ２以降は、切り替わり後の受信チャンネルのテレビジョン信号に含まれる複合同期信号から得られる垂直同期分離信号ＤＶＯＰと同位相の安定化垂直同期信号ＣＶＯＰが生成される。したがって、上記所定期間に相当する時刻ｔ１から時刻ｔ２までの間は、受信チャンネルの映像表示のタイミングを決定する安定化垂直同期信号ＣＶＯＰ（図７（ｂ））の位相は、受信チャンネルの映像を表す映像信号Ｓｄ（図７（ｃ））の位相と相違する。その結果、受信チャンネルの映像表示において表示ずれが生じる。すなわち、図７に示した例の場合、受信チャンネルの映像表示の垂直方向の開始位置（画面の１ライン目）では、時刻ｔ１以前と時刻ｔ２以降は、図７（ｃ）において横縞で示される映像データに対応する表示（本来の表示）が行われるが、時刻ｔ１から時刻ｔ２までの間は、図７（ｃ）において縦縞で示される映像データに対応する表示（本来と異なる表示）が行われる。
【００１０】
そこで本発明は、入力される複合同期信号が受信チャンネルの変更等によって切り替わった場合であっても映像の表示ずれを起こさない垂直同期信号を生成するカウントダウン方式の垂直同期回路、およびそのような垂直同期回路を備えたテレビジョン受信機を提供することを目的とする。
【課題を解決するための手段】
【００１１】
第１の発明は、映像を表示するための垂直同期信号である表示用垂直同期信号を、当該映像に対応する同期信号として入力される複合同期信号に基づき生成するカウントダウン方式の垂直同期回路であって、
前記複合同期信号に含まれる水平同期信号の周波数の整数倍の周波数の基準クロック信号を生成するクロック信号生成回路と、
前記複合同期信号に含まれる垂直同期成分を分離し垂直同期分離信号として出力する垂直同期分離回路と、
前記複合同期信号の切り替わりを示す信号として入力される切替信号に基づき、前記複合同期信号の切り替わり直後の所定期間には、前記垂直同期分離信号を前記表示用垂直同期信号として出力し、当該所定期間以外の期間には、前記垂直同期分離信号と同期させて前記基準クロック信号を分周することにより前記垂直同期分離信号の周波数に等しい周波数の分周信号を生成し前記表示用垂直同期信号として出力する垂直同期安定化回路と
を備えることを特徴とする。
【００１２】
第２の発明は、第１の発明において、
前記垂直同期安定化回路は、
前記垂直同期分離信号と同期させて前記基準クロック信号を分周することにより前記垂直同期分離信号の周波数に等しい周波数の分周信号を生成する分周手段と、
前記切替信号に基づき、前記所定期間には前記垂直同期分離信号を前記表示用垂直同期信号として出力し、前記所定期間以外の期間には前記分周信号を前記表示用垂直同期信号として出力する選択手段とを含むことを特徴とする。
【００１３】
第３の発明は、第１の発明において、
前記複合同期信号は、所定のテレビジョン受信機における受信チャンネルのテレビジョン信号から取り出された信号であり、
前記切替信号は、前記受信チャンネルの切り替えを示す信号であり
前記所定期間は、前記受信チャンネルの切り換わり直後の期間であることを特徴とする。
【００１４】
第４の発明は、テレビジョン受信機であって、
所定操作によって指定される受信チャンネルのテレビジョン信号を受信する選局部と、
前記テレビジョン信号から複合映像信号を取り出す映像受信回路と、
前記複合映像信号から複合同期信号を取り出す同期分離回路と、
前記複合映像信号の表す映像を表示する表示装置と、
前記受信チャンネルの映像を前記表示装置に表示させるための垂直同期信号である表示用垂直同期信号を前記複合同期信号に基づき生成するカウントダウン方式の垂直同期回路とを備え、
前記選局部は、前記所定操作に応じて前記受信チャンネルの切り替えを示す切替信号を生成し、
前記垂直同期回路は、
前記複合同期信号に含まれる水平同期信号の周波数の整数倍の周波数の基準クロック信号を生成するクロック信号生成回路と、
前記複合同期信号に含まれる垂直同期成分を分離し垂直同期分離信号として出力する垂直同期分離回路と、
前記切替信号に基づき、前記受信チャンネルの切り替わり直後の所定期間には、前記垂直同期分離信号を前記表示用垂直同期信号として出力し、当該所定期間以外の期間には、前記垂直同期分離信号と同期させて前記基準クロック信号を分周することにより前記垂直同期分離信号の周波数に等しい周波数の分周信号を生成し前記表示用垂直同期信号として出力する垂直同期安定化回路とを含むことを特徴とする。
【発明の効果】
【００１５】
上記のような第１から第３の発明によれば、複合同期信号の切り替わり直後の所定期間には、複合同期信号の垂直同期成分に相当する垂直同期分離信号が表示用垂直同期信号として出力され、当該所定期間以外の期間には、当該垂直同期分離信号と同期させて基準クロック信号を分周することにより当該垂直同期分離信号の周波数に等しい周波数の分周信号が表示用垂直同期信号として出力される。これにより、表示すべき映像に対応する複合同期信号や垂直同期分離信号に欠落が生じたりスパイクノイズが含まれたりしても安定的に表示用垂直同期信号を生成しつつ、複合同期信号の切り替わりによる映像の表示ずれを防止することができる。
【００１６】
上記のような第４の発明によれば、テレビジョン受信機における受信チャンネルの切り替わり直後の所定期間には、複合同期信号の垂直同期成分に相当する垂直同期分離信号が表示用垂直同期信号として出力され、当該所定期間以外の期間には、当該垂直同期分離信号と同期させて基準クロック信号を分周することにより当該垂直同期分離信号の周波数に等しい周波数の分周信号が表示用垂直同期信号として出力される。これにより、弱電界環境下では受信チャンネルの映像を安定に表示し、強電界環境下では受信チャンネルの切り替え時の垂直方向の表示乱れを防止することができる。
【発明を実施するための最良の形態】
【００１７】
以下、添付図面を参照して本発明の実施形態について説明する。
＜１．テレビジョン受信機の構成および動作＞
図１は、本発明の一実施形態に係る垂直同期回路を含む同期信号生成回路４０を備えたテレビジョン受信機の主要部の構成を示すブロック図である。このテレビジョン受信機は、同期信号生成回路４０の他に、選局部１０と、映像受信回路２０と、信号処理回路３０と、表示装置５０とを備えている。
【００１８】
選局部１０は、アンテナで受信した受信波（高周波信号）の中から受信すべきチャンネルの信号を抜き出して増幅した後に中間周波信号Ｓｉに変換するチューナ１２と、上記受信すべきチャンネル（受信チャンネル）を指定するための操作を受け付け、当該受信チャンネルに対応するテレビジョン信号としての中間周波信号Ｓｉが得られるようにチューナ１２を制御する選局制御部１４とを有している。チューナ１２によって得られた中間周波信号Ｓｉは、映像受信回路２０に入力される。また、選局制御部１４は、上記操作による受信チャンネルの切り替えを示す信号としてチャンネル切替信号ＴＶＳＷを出力し（この信号ＴＶＳＷは後述の複合同期信号の切り替えを示す信号でもある）、このチャンネル切替信号ＴＶＳＷは同期信号生成回路４０に入力される。なお、このチャンネル切替信号ＴＶＳＷは、図３（ｃ）に示すように、受信チャンネルが変更されない間はハイレベル（Ｈレベル）であり、受信チャンネルが切り替わったときに当該切り替わり直後から後述の所定期間Ｔｓｗだけローレベル（Ｌレベル）となる信号である。
【００１９】
映像受信回路２０は、中間周波信号Ｓｉを増幅した後に検波することによってテレビジョン信号としての複合カラー映像信号Ｓｃを取り出す。この複合カラー映像信号Ｓｃは信号処理回路３０に入力され、信号処理回路３０は、複合カラー映像信号Ｓｃから色信号を取り出し、当該色信号に基づき原色信号としての表示用映像信号Ｓｄを生成する。この表示用映像信号Ｓｄは表示装置５０に入力される。映像受信回路２０から出力される複合カラー映像信号Ｓｃは同期信号生成回路４０にも入力され、同期信号生成回路４０は、この複合カラー映像信号Ｓｃから水平同期信号ＨＳＹおよび垂直同期信号ＶＳＹを生成する。この水平同期信号ＨＳＹおよび垂直同期信号ＶＳＹも表示装置５０に入力される。
【００２０】
表示装置５０は、上記の表示用映像信号Ｓｄと水平同期信号ＨＳＹおよび垂直同期信号ＶＳＹとに基づき受信チャンネルの映像を表示する。図１に示した表示装置５０は、表示制御回路５２と、信号線駆動回路５４と、走査線駆動回路５６と、液晶パネル５８とによって構成されているが、このような構成に限定されるものではない。この表示装置５０では、表示制御回路５２は、上記の表示用映像信号Ｓｄと水平同期信号ＨＳＹおよび垂直同期信号ＶＳＹとに基づき、液晶パネル５８の駆動信号の生成に必要なデータ信号および制御信号を信号線駆動回路５４および走査線駆動回路５６に供給する。信号線駆動回路５４は、表示制御回路５２からの信号に基づき駆動用のデータ信号を生成して液晶パネル５８に印加し、走査線駆動回路５６は、表示制御回路５２からの信号に基づき走査信号を生成して液晶パネル５８に印加する。これにより液晶パネル５８は、表示用映像信号Ｓｄの表す映像すなわち受信チャンネルの映像を表示する。
【００２１】
＜２．同期信号生成回路の構成＞
図２は、本実施形態に係る垂直同期回路４６を含む上記の同期信号生成回路４０の構成を示すブロック図である。この同期信号生成回路４０は、垂直同期回路４６の他に、同期分離回路４２と、水平同期回路４４とを備えている。同期分離回路４２は、映像受信回路２０から入力される複合カラー映像信号Ｓｃから複合同期信号ＳＹＮＩを分離する。この複合同期信号ＳＹＮＩは水平同期回路４４および垂直同期回路４６に入力される。水平同期回路４４は、この複合同期信号ＳＹＮＩに基づき映像表示のための水平同期信号ＨＳＹを生成し、垂直同期回路４６は、この複合同期信号ＳＹＮＩおよび水平同期信号ＨＳＹに基づき映像表示のための垂直同期信号ＶＳＹを生成する。
【００２２】
図２に示すように垂直同期回路４６は、垂直同期分離回路４６２と、基準クロック生成回路４６４と、カウントダウン回路４６６と、切替スイッチ４６８とを備えており、カウントダウン回路４６６と切替スイッチ４６８とは、表示装置５０に供給すべき安定化された垂直同期信号である表示用垂直同期信号ＶＳＹを生成する垂直同期安定化回路４６０を構成する。垂直同期分離回路４６２は、映像受信回路２０から入力される複合同期信号ＳＹＮＩから垂直同期成分を分離し（図４参照）、これを図３（ａ）および図４（ｂ）に示すような垂直同期分離信号ＤＶＯＰとして出力する。この垂直同期分離信号ＤＶＯＰは、カウントダウン回路４６６および切替スイッチ４６８に与えられる。一方、基準クロック生成回路４６４は、水平同期回路４４から入力される水平同期信号ＨＳＹに基づき、水平周波数ｆｈのＮ倍の周波数Ｎ・ｆｈの基準クロック信号ＣＫを生成し（ただし、Ｎは２以上の自然数）、これをカウントダウン回路４６６に与える。
【００２３】
カウントダウン回路４６６は、分周手段として機能し、この基準クロック信号ＣＫを垂直同期分離回路４６２からの垂直同期分離信号ＤＶＯＰに同期させつつ分周することにより、垂直同期分離信号ＤＶＯＰの周波数に等しい周波数の信号を安定化垂直同期信号ＣＶＯＰとして生成する。このカウントダウン回路４６６については種々の公知の構成が採用可能である。例えば特許文献２に記載されているように、基準クロック信号ＣＫを分周する分周器と、この分周器によって得られる分周信号の位相を垂直同期分離信号ＤＶＯＰの位相と比較する位相比較器と、これらの位相の不一致を示すパルスを計数しかつこれらの位相の一致を示すパルスによってリセットされる計数器と、この計数器の出力信号と垂直同期分離信号ＤＶＯＰとに基づき前記分周器をリセットする信号を生成するリセット信号発生器とを備え、前記分周器からの分周信号を安定化垂直同期信号ＣＶＯＰとして出力する構成とすることができる。このようなカウントダウン回路４６６によって生成される安定化垂直同期信号ＣＶＯＰは、切替スイッチ４６８に与えられる。
【００２４】
切替スイッチ４６８には、上記のように安定化垂直同期信号ＣＶＯＰおよび垂直同期分離信号ＤＶＯＰが与えられると共に、選局制御部１４からチャンネル切替信号ＴＶＳＷが制御信号として入力され、この切替スイッチ４６８は、チャンネル切替信号ＴＶＳＷに応じて安定化垂直同期信号ＣＶＯＰと垂直同期分離信号ＤＶＯＰのうちいずれか一方を表示用垂直同期信号ＶＳＹとして選択する選択手段として機能する。すなわち切替スイッチ４６８は、チャンネル切替信号ＴＶＳＷがハイレベル（Ｈレベル）のときには、安定化垂直同期信号ＣＶＯＰを表示用垂直同期信号ＶＳＹとして出力し、チャンネル切替信号ＴＶＳＷがローレベル（Ｌレベル）のときには、垂直同期分離信号ＤＶＯＰを表示用垂直同期信号ＶＳＹとして出力する。
【００２５】
＜３．垂直同期回路の動作＞
次に、図３を参照して、上記テレビジョン受信機において時刻ｔ１で受信チャンネルが切り替わった場合の垂直同期回路４６（およびテレビジョン受信機）の動作について説明する。この場合、垂直同期回路４６内の垂直同期分離回路４６２には、図３（ａ）に示すような垂直同期分離信号ＤＶＯＰが入力される。カウントダウン回路４６６では、周波数Ｎ・ｆｈの基準クロック信号ＣＫをこの垂直同期分離信号ＤＶＯＰの同期させつつ分周することにより、図３（ｂ）に示すような安定化垂直同期信号ＣＶＯＰが生成される。この安定化垂直同期信号ＣＶＯＰは、カウントダウン回路４６６内の前述の位相比較器からの不一致パルスの計数動作等に基づき、従来と同様、時刻ｔ１から所定期間（ここでは垂直期間の５周期分の期間（５Ｖ））は時刻ｔ１以前の垂直同期分離信号ＤＶＯＰと同等のタイミングでパルスの現れる信号すなわち同位相の信号となっており、時刻ｔ１から上記所定期間（５Ｖ期間）だけ経過した時点である時刻ｔ２以降では、切り替わり後の受信チャンネルのテレビジョン信号に含まれる複合同期信号ＳＹＮＩから得られる垂直同期分離信号ＤＶＯＰと同位相の信号となっている。
【００２６】
図３（ｃ）に示すようにチャンネル切替信号ＴＶＳＷは、受信チャンネルの切り替わり時点である時刻ｔ１でＨレベルからＬレベルへと変化し、時刻ｔ１から所定期間ＴｓｗだけＬレベルを保持し、その後にＨレベルとなる。本実施形態では、チャンネル切替信号ＴＶＳＷは、選局制御部１４において、この所定期間Ｔｓｗが時刻ｔ１から時刻ｔ２までの期間、すなわち、カウントダウン回路４６６に入力される垂直同期分離信号ＤＶＯＰが変更されてからその変更後の垂直同期分離信号ＤＶＯＰと同位相の安定化垂直同期信号ＣＶＯＰが出力されるまでの期間（ここでは５Ｖの期間）に略等しくなるように生成される。したがって、時刻ｔ１から時刻ｔ２までの期間（正確には所定期間Ｔｓｗの間）では、垂直同期分離回路４６２から出力される垂直同期分離信号ＤＶＯＰが垂直同期信号ＶＳＹとして出力されるので、図３（ｃ）に示すように、受信チャンネルが切り替わる時点である時刻ｔ１の直後から、受信チャンネルのテレビジョン信号に含まれる垂直同期成分と同位相の垂直同期信号ＶＳＹが出力される。そして時刻ｔ２以降は、カウントダウン回路４６６から出力される安定化垂直同期信号ＣＶＯＰが垂直同期信号ＶＳＹとして出力されるが、この時点では、図３（ｃ）に示すように、安定化垂直同期信号ＣＶＯＰは、受信チャンネルのテレビジョン信号に含まれる垂直同期成分と同位相の信号となっている。
【００２７】
上記のような垂直同期信号ＶＳＹが表示用の同期信号として表示装置５０に供給されるので（図１参照）、図３（ｅ）に示すように、受信チャンネルが切り替わる時点である時刻ｔ１の直後においても、時刻ｔ１以前と同様、受信チャンネルの映像表示の垂直方向の開始位置（画面の１ライン目）では、図にて横縞で示される映像データに対応する表示（本来の表示）が行われる。したがって、受信チャンネルが切り替わっても受信チャンネルの映像の表示ずれが生じない。
【００２８】
＜４．効果＞
以上のように本実施形態によれば、受信チャンネルの切り替わり直後の所定期間Ｔｓｗ以外は、安定化垂直同期信号ＣＶＯＰが表示用垂直同期信号ＶＳＹとして垂直同期回路から４６出力され、受信チャンネルの切り替わり直後の所定期間Ｔｓｗには、垂直同期分離信号ＤＶＯＰが表示用の直同期信号ＶＳＹとして出力される。これにより、複合同期信号ＳＹＮＩやその垂直同期成分である垂直同期分離信号ＤＶＯＰに欠落が生じたりスパイクノイズが含まれたりしても安定的に垂直同期信号ＶＳＹを生成できるカウントダウン方式の垂直同期回路を使用しつつ、受信チャンネルの切り替わりによる映像の表示ずれを防止することができる。すなわち、弱電界環境下では受信チャンネルの映像を安定に表示し、強電界環境下では受信チャンネルの切り替え時の垂直方向の表示乱れを防止することができる。なお、本実施形態では、弱電界環境下で受信チャンネルが切り替えられた場合、受信チャンネルの切り替わり直後の所定期間Ｔｓｗに垂直方向の表示乱れが生じ得るが、この場合には受信チャンネルの映像信号自体の状態も悪いので、受信チャンネルの切り替え時の表示乱れは大きな問題とはならない。
【００２９】
＜５．変形例＞
上記実施形態については、テレビジョン受信機における受信チャンネルの映像表示のための垂直同期信号を生成する場合を例に挙げて説明したが、これに限定されるものではなく、例えば、ＶＴＲから出力される信号に基づき映像を表示するために垂直同期信号を生成する場合にも本発明は適用可能である。また上記実施形態については、垂直同期回路に入力される複合同期信号ＳＹＮＩが受信チャンネルの変更によって切り替わる場合を例に挙げて説明したが、他の要因で複合同期信号ＳＹＮＩが切り替わる場合であっても、上記と同様の動作により、当該切り替わりによる映像の表示ずれを防止することができる。
【００３０】
また、上記実施形態では、チャンネル切替信号ＴＶＳＷがＬレベルとなる期間Ｔｓｗは、時刻ｔ１から時刻ｔ２までの期間に略等しい期間であるが、これに限定されるものではなく、カウントダウン回路４６６に入力される垂直同期分離信号ＤＶＯＰが変更されてからその変更前の垂直同期分離信号ＤＶＯＰと同位相の安定化垂直同期信号ＣＶＯＰが出力されなくなるまでの期間よりも長い期間であればよい（したがって、図３（ｂ）に点線で示されているようにチャンネル切替信号ＴＶＳＷがＬレベルとなる期間Ｔｓｗが時刻ｔ２後まで継続してもよい）。ただし、この期間Ｔｓｗの間は安定化垂直同期信号ＣＶＯＰが表示用垂直同期信号ＶＳＹとして使用されないので、所定期間Ｔｓｗは短い方が好ましい。
【００３１】
さらに、上記実施形態では、受信チャンネルの変更の有無の拘わらずカウントダウン回路４６６を常に動作させ、切替スイッチ４６８によって、受信チャンネルの切り替わり直後の所定期間Ｔｓｗのみ、安定化垂直同期信号ＣＶＯＰに代えて垂直同期分離信号ＤＶＯＰを表示用垂直同期信号ＶＳＹとして出力するように構成されているが（図２参照）、これに代えて、当該所定期間Ｔｓｗには、カウントダウン回路４６６を動作させずに垂直同期分離信号ＤＶＯＰを表示用垂直同期信号ＶＳＹとして出力するようにしてもよい。
【図面の簡単な説明】
【００３２】
【図１】本発明の一実施形態に係る垂直同期回路を含む同期信号生成回路を備えたテレビジョン受信機を示すブロック図である。
【図２】上記実施形態に係る垂直同期回路を含む同期信号生成回路の構成を示すブロック図である。
【図３】上記実施形態に係る垂直同期回路およびそれを備えたテレビジョン受信機の動作を説明するための信号波形図である。
【図４】複合同期信号からの垂直同期成分に相当する信号（垂直同期分離信号）の分離を説明するための信号波形図である。
【図５】受信波の電界強度が強い場合（強電界環境下）の垂直同期分離信号を示す信号波形図である。
【図６】受信波の電界強度が弱い場合（弱電界環境下）の垂直同期分離信号を示す信号波形図（ａ）、および、カウントダウン方式により生成される安定化垂直同期信号を示す信号波形図（ｂ）である。
【図７】カウントダウン方式による従来の垂直同期回路を備えたテレビジョン受信機の動作を説明するための信号波形図である。
【符号の説明】
【００３３】
１０      …選局部
１４      …選局制御部
２０      …映像受信回路
４０      …同期信号生成回路
４２      …同期分離回路
４４      …水平同期回路
４６      …垂直同期回路
５０      …表示装置
４６０    …垂直同期安定化回路
４６２    …垂直同期分離回路
４６４    …基準クロック生成回路
４６６    …カウントダウン回路（分周手段）
４６８    …切替スイッチ（選択手段）
ＣＫ      …基準クロック信号
ＣＶＯＰ  …安定化垂直同期信号
ＤＶＯＰ  …垂直同期分離信号
Ｓｃ      …複合カラー映像信号
Ｓｄ      …表示用映像信号
ＳＹＮＩ  …複合同期信号
ＨＳＹ    …表示用水平同期信号
ＶＳＹ    …表示用垂直同期信号
ＴＶＳＷ  …チャンネル切替信号
【図１】
2006060483.tif 000003
【図２】
2006060483.tif 000004
【図３】
2006060483.tif 000005
【図４】
2006060483.tif 000006
【図５】
2006060483.tif 000007
【図６】
2006060483.tif 000008
【図７】
2006060483.tif 000009